(57)【要約】【課題】本発明は、ノーズなどの通風路を形成する部位に縦ルーバ固定具を収納するための幅方向全体にわたる凹部を形成することなく縦ルーバを取り付けられる空気調和機の室内機を提供する。【解決手段】空気調和機の室内機１０は、ハウジングとしての室内機本体２０と、室内機本体２０内に設けられる通風路８０と室内熱交換器６０と送風機７０と縦ルーバ取付部５３と、縦ルーバ９０とを備える。縦ルーバ取付部５３は、室内機本体２０内に設けられる通風路８０において送風機７０の下流部分を形成するノーズ５０に形成される。縦ルーバ９０は、縦ルーバ取付部５３に取り付けられる枢支軸部９２を有している。縦ルーバ９０は、枢支軸部９２が縦ルーバ取付部５３に取り付けられることによって、通風路８０中に支持されるとともに吹出口４１を通して吹き出される空気の風向きを調整する。【選択図】図２
2009058206.tif 000002
【特許請求の範囲】
【請求項１】
吸込口と吹出口が設けられた室内機本体内に、前記吸込口から吸込まれた空気を前記吹出口に導く通風路と、この通風路中に配置された室内熱交換器および送風機と、上記吹出口に設けられ吹出し空気の方向を変更するルーバとを備えた空気調和機の室内機において、
ルーバは、通風路の吹出口壁部に幅方向に所定間隔を存して形成した複数個の縦ルーバ取付部に回動自在に枢支された風の左右方向を変更する複数の縦ルーバを備え、
前記各縦ルーバは、板状の基部と小径のネック部とネック部より大径の抜止部が連結した枢支軸を有し、
前記各縦ルーバ取付部は、前記抜止部とネック部が挿入される挿通部と、この挿通部と連通し先端入口の間隔がネック部より狭く弾性変形で開き中央部にネック部と略同径の保持用孔部とを有する長孔状の連結孔を有し、
各縦ルーバの枢支軸を縦ルーバ取付部の連結孔に挿入しネック部を保持用孔部で回動自在に係止するように構成した
ことを特徴とする空気調和機の室内機。
【発明の詳細な説明】
【技術分野】
【０００１】
本発明は、空気調和機の室内機の縦ルーバの固定構造に関する。
【背景技術】
【０００２】
空気調和機は、被空調室内に配置される室内機と、屋外に配置される室外機とを備えている。室内機と室外機とは、互いに冷媒管および電気配線などで接続されている。
【０００３】
室内機は、当該室内機のハウジングであって吸込口と吹出口とが形成される室内機本体と、当該室内機本体内に収容される室内熱交換器と送風機とを備えている。室内機本体内において吸込口と吹出口との間には、通風路が設けられており、室内機熱交換器と送風機とは、通風路中に配置されている。
【０００４】
被空調室内の空気は、送風機が作動すると、吸込口から吸い込まれて室内機本体内の熱交換器に導かれる。そして、室内熱交換器によって熱交換された空気は、送風機によって吹出口を通して被空調室に吹き出される。
【０００５】
吹出口には、当該吹出口を通して吹き出される空気の風向きを調整する、水平ルーバと縦ルーバとが取り付けられている。水平ルーバは、上下方向の風向きを調整する。縦ルーバは、左右方向の風向きを調整する。
【０００６】
縦ルーバの固定構造としては、複数の縦ルーバを縦ルーバ固定具に固定してユニット化するとともに、当該ユニットを室内機本体のノーズなどの通風路を形成する部位に組み付ける構造が用いられている（例えば、特許文献１参照。）。
【特許文献１】特開平９−４９１６号公報
【発明の開示】
【発明が解決しようとする課題】
【０００７】
しかしながら、特許文献１に開示されている縦ルーバの固定構造であると、縦ルーバ固定具を用いるので、通風路表面に直接縦ルーバ固定具を装着すると、固定具の厚み分が通風路表面から突出してしまい、スムーズな風の流れの妨げとなるため、ノーズなどの通風路を形成する部位に縦ルーバ固定具を収納するための凹陥部を幅方向全体に成型する必要が生じる。これにより、ノーズなどの通風路を形成する部位は、形状が複雑化する上に、強度が低下する。また、この収納凹部に縦ルーバ固定具を挿入した場合、接合部分周囲に双方の収縮によるきしみ音を吸収するための隙間を形成させる必要があるため、通風路に溝部が生じ、この溝部で風の乱れが生じ、スムーズな風の流れの妨げとなるといった問題点があった。
【０００８】
本発明の目的は、ノーズなどの通風路を形成する部位に縦ルーバ固定具を収納するための幅方向全体にわたる凹部を形成することなく縦ルーバを取り付けられる空気調和機の室内機を提供することである。
【課題を解決するための手段】
【０００９】
本発明の空気調和機の室内機は、吸込口と吹出口が設けられた室内機本体内に、前記吸込口から吸込まれた空気を前記吹出口に導く通風路と、この通風路中に配置された室内熱交換器および送風機と、吹出口に設けられ吹出し空気の方向を変更するルーバとを備え、ルーバは、通風路の吹出口壁部に幅方向に所定間隔を存して形成した複数個の縦ルーバ取付部に回動自在に枢支された風の左右方向を変更する複数の縦ルーバを備え、各縦ルーバは、板状の基部と小径のネック部とネック部より大径の抜止部が連結した枢支軸を有し、
各縦ルーバ取付部は、縦ルーバ枢支軸抜止部とネック部が挿入される挿通部と、この挿通部と連通し先端入口の間隔がネック部より狭く弾性変形で開き中央部にネック部と略同径の保持用孔部とを有する長孔状の連結孔を有し、各縦ルーバの枢支軸を縦ルーバ取付部の連結孔に挿入しネック部を保持用孔部で回動自在に係止するように構成した。
【発明の効果】
【００１０】
本発明によれば、この構造によれば、縦ルーバは、通風路を形成する壁部に直接取り付けられる。このため、別途に縦ルーバを支持する固定部材などを用いることがないので、ノーズなどの通風路を形成する部位に縦ルーバ固定具を収納するための幅方向全体にわたる凹部を形成することなく縦ルーバの取り付けのために必要な部品点数を、小さく抑えることができる。
【発明を実施するための最良の形態】
【００１１】
本発明の一実施形態に係る空気調和機の室内機１０を、図１〜９を用いて説明する。図１は、本実施形態の空気調和機の室内機１０を示す斜視図である。図１に示すように、通常部屋の壁に取り付けられる室内機１０は、図示されない室外機に、冷媒管や電気配線などによって接続されている。
【００１２】
図２は、室内機１０の断面図である。図２に示すように、室内機１０は、前面パネル３０、後本体４０、ノーズ５０などから構成する室内機本体２０内に、室内熱交換器６０、送風機７０、縦ルーバ９０、水平ルーバ１００などを備えている。
【００１３】
前面パネル３０には、前面に前部吸込口３１、前面パネル３０の上部に、上部吸込口３２が形成され、室内機本体２０内に、室内空気が吸込まれる。
【００１４】
後本体４０は、室内機本体２０の後部を構成し、室内熱交換器６０、送風機７０などを設置している。
【００１５】
室内機本体２０の下方には、吹出口４１が形成されている。吹出口４１を通して、室内熱交換器６０で熱交換された空気が室内に吹き出される。なお、室内機本体２０は、幅方向に長い形状である。それゆえ、吹出口４１は、幅方向に長い。
【００１６】
図２に示すように、室内熱交換器６０は、前側に位置する前側熱交換器と、後側に位置する後側熱交換器とを有し側面から見た形状が略逆Ｖ字状になる形状である。
【００１７】
後本体４０は、室内熱交換器６０の下部に前ドレンパン４４と、後ドレンパン４５とを有している。
【００１８】
この送風機７０は、横流ファンで構成し、図示しないファンモータで駆動され、室内熱交換器６０下流の空間内に配置されている。
【００１９】
送風機７０が駆動されることによって、前部吸込口３１と上部吸込口３２とを通して、室内機本体２０内に室内の空気が吸込まれる。そして、上記のように吸込まれた空気は、室内熱交換器６０を通過する際に熱交換がなされる。熱交換がなされた空気は、吹出口４１から吹き出される。このように、室内機本体２０内には、吸込口３１、３２から吹出口に至る、通風路８０が規定される。
【００２０】
前ドレンパン４４において送風機７０と対向する部位には、ノーズ５０が取り付けられている。ノーズ５０は、送風機７０に近接した位置から吹出口４１まで延びる壁部５１を有している。
【００２１】
ここで、ノーズ５０について説明する。図４は、室内機本体２０から取り外されたノーズ５０を示す斜視図である。図２，４に示すように、ノーズ５０は、室内機本体２０の幅方向に沿って長く形成されており、吹出口４１と対向して配置されている。ノーズ５０において送風機７０側の端部は、断面が略Ｖ字状に形成し送風機に近接されていることによって、前・上部吸込口３１，３２側と吹出口４１側とを区画する。
【００２２】
吹出口４１の近傍には、当該吹出口４１から吹き出される空気の風向を調整する、縦ルーバ９０と、水平ルーバ１００とが取り付けられている。なお、図１で示される室内機１０は、水平ルーバ１００が分解された状態を示している。
【００２３】
図１，２に示すように、一対の水平ルーバ１００は、幅方向に長い板状であり、その姿勢を変位することによって、吹出口４１から吹き出される空気の上下方向の流れを調整すると共に、停止時は、吹出口４１を覆うように設けられている。
【００２４】
図３は、図２に示された水平ルーバ１００が取り外された室内機１０を、矢印Ｆ３で示される方向に沿って見た状態を示している。図３に示すように、縦ルーバ９０は、通風路８０において吹出口４１の奥に配置されており、室内機本体２０の一部を構成するノーズ５０に、吹出口４１の幅方向に沿って複数取り付けられている。
【００２５】
図４は、ノーズ５０に縦ルーバ９０が装着された状態を示す斜視図、図５は、ノーズ５０から縦ルーバ９０が分解された状態を示す斜視図である。
【００２６】
図３，５に示すように、縦ルーバ９０は、例えば５つずつ１組となっており、縦ルーバアッセンブリ１１１を形成している。縦ルーバアッセンブリ１１１は、２つ用いられている。各縦ルーバアッセンブリ１１１は、吹出口４１の幅方向に並んで配置されている。各縦ルーバアッセンブリ１１１は、互いに同じ構造でよいので、一方の縦ルーバアッセンブリ１１１を代表して説明する。
【００２７】
縦ルーバアッセンブリ１１１は、例えば５つの縦ルーバ９０と、風向設定部１１２とを備えている。なお、１つの縦ルーバアッセンブリ１１１における縦ルーバ９０の数は、５つに限定されるものではない。風向設定部１１２は、一方向に延びる棒形状であって、中央に摘み部１１３が形成されている。摘み部１１３は、風向設定部１１２の長手方向を横切る方向に突出する形状である。
【００２８】
縦ルーバ９０は、風向板部９１と、ノーズ５０に取り付けられる枢支軸部９２（後で詳細に説明される）とを有している。縦ルーバ９０は、互いに略平行に略等間隔離間して配置されており、風向設定部１１２にヒンジ１１４によって幅方向（左右方向）に回動可能に連結されている。ヒンジ１１４は、風向板部９１の周縁部に形成されている。
【００２９】
縦ルーバアッセンブリ１１１は、各縦ルーバ９０が並ぶ方向がノーズ５０の幅方向に沿うように、ノーズ５０に配置されている。そして、縦ルーバ９０は、後述される枢支軸部９２回りに、ノーズ５０の壁部５１に対して回動自由に支持される。
【００３０】
ノーズ５０に取り付けられた際の縦ルーバ９０の姿勢は、風向板部９１がノーズ５０の壁部５１から下方に向かって起立する姿勢である。このため、縦ルーバ９０が枢支軸部９２回りに回動することによって、当該縦ルーバ９０は、吹出口４１の左右方向（幅方向）にその姿勢を変化する。このことによって、縦ルーバ９０は、吹出口４１から吹き出される空気の送風方向を左右に調整する。
【００３１】
縦ルーバ９０は、上記のように風向設定部１１２で連結されている。縦ルーバアッセンブリ１１１がノーズ５０に取り付けられた状態では、風向設定部１１２は、吹出口４１の幅方向に沿う。摘み部１１３を持って風向設定部１１２を長手方向に沿って移動操作することによって、縦ルーバ９０が一斉のその姿勢を変化する。
【００３２】
つぎに、枢支軸部９２について説明する。図６は、縦ルーバ９０の取付構造を代表して説明するため、ノーズ５０の幅方向に沿う一端部に取り付けられる縦ルーバ９０とを拡大して示す斜視図である。
【００３３】
図６に示すように、枢支軸部９２は、風向板部９１の周縁部においてヒンジ１１４の近傍に設けられている。枢支軸部９２は、ノーズ５０の壁部５１に下方から取り付けられる。ノーズ５０の壁部５１には、枢支軸部９２が連結される縦ルーバ取付部５３が形成されている。枢支軸部９２は、基部９３と、ネック部９４と、抜止部９５とを有している。
【００３４】
基部９３は、板状であって、縦ルーバ９０がノーズ５０に取付けられた際に、ノーズ５０の壁部５１の下面に当接するとともに沿う。ネック部９４は、基部９３の略中央に位置するとともに基部９３から立ち上がる形状である。ネック部９４は、例えば略円筒状であって、ノーズ５０の壁部５１の厚みと略同じ長さを有している。抜止部９５は、ネック部９４の先端に形成されており、ネック部９４よりも周方向に大きい。
【００３５】
図７は、ノーズ５０の壁部５１に形成された縦ルーバ取付部５３を拡大した状態を示す斜視図である。図７に示すように、縦ルーバ取付部５３は、連結孔５４と、腕部５５とを備えている。
【００３６】
連結孔５４は、ノーズ５０の幅方向（ノーズ５０が取り付けられた際に室内機１０の幅方向と重なる方向）を横切る方向に長い形状である。つまり、連結孔５４は、ノーズ５０が室内機本体２０に取り付けられた際に送風機７０に向かって延びる形状である。連結孔５４は、抜止部９５が挿通可能であって、基部９３が挿通できない大きさを有している。
【００３７】
各腕部５５は、連結孔５４の周縁部において奥側（ノーズ５０が取り付けられた際に送風機７０側）の縁部５６に形成されており、連結孔５４内に配置されている。また、各腕部５５は、ノーズ５０の長手方向に互いに離間して配置されており、連結孔５４に沿って延びている。
【００３８】
図８は、縦ルーバ取付部５３を示す平面図である。図８では、連結孔５４に枢支軸部９２が挿入された状態を示している。図８に示すように、各腕部５５の先端部５５ａは、当該先端部５５ａと向かい合う連結孔５４の縁部５７との間が、抜止部９５が収容可能な状態（抜止部９５が略嵌る状態）を保ちつつ、縁部５７側位置まで延びている。先端部５５ａは、抜止部９５にならう形状である。連結孔５４において、縁部５７と先端部５５ａとの間に規定される範囲を、抜止部挿通部５８とする。
【００３９】
また、各腕部５５の外縁と連結孔５４の周縁との間には、隙間５９が形成されている。隙間５９によって、各腕部５５の外縁と連結孔５４の周縁とは、連続していない。ノーズ５０は、樹脂性である。このため、各腕部５５間に規定される隙間１１５と、隙間５９とが、各腕部５５の変形を許容することによって、各腕部５５は、図７中矢印で示すように、互いに離間する方向に弾性変形するようになる。
【００４０】
図８に示すように、各腕部５５の隙間１１５は、腕部５５の根元部分から先端部５５ａまでの範囲がネック部９４の径と略同じ大きさに設定されている。図中、ネック部９４を２点鎖線で示す。各腕部５５の先端部５５ａは、当該先端部５５ａ間がネック部９４の径よりも小さくなるように、内側に突出する形状である。なお、先端部５５ａの突出具合は、各腕部５５を弾性変形させることによって、当該先端部５５ａ間をネック部９４が通ることができるように設定されている。
【００４１】
各腕部５５の根元部分近傍には、ネック部９４を保持するネック保持部１１６が設けられている。連結孔５４の縁部において各腕部５５間に部位には、突起１１７が形成されている。突起１１７は、連結孔５４の内側に向かって突出している。
【００４２】
図８中、ネック保持部１１６に保持されているネック部９４を２点鎖線で示している。突起１１７は、ネック保持部１１６に保持されたネック部９４に当接するまで延びている。先端部５５ａにおいてネック部９４と対向する面５５ｃと突起１１７の先端１１７ａとは、ネック部９４の周面にならう形状である。そして、各腕部５５の内面５５ｂと、突起１１７の先端１１７ａと、先端部５５ａとによって規定される空間は、ネック部９４が略嵌る形状となっている。このことによって、縦ルーバ９０は、ノーズ５０に回動自由に保持される。
【００４３】
また、枢支軸部９２には、縦ルーバ９０の取付間違え、具体的には、縦ルーバ９０が誤った姿勢でノーズ５０に取り付けられることを防止するための、誤挿入防止リブ１１８が形成されている。図６に示すように、誤挿入防止リブ１１８は、抜止部９５に形成されており、抜止部挿通部５８からネック保持部１１６へのスライド方向に突出している。
【００４４】
図８に示すように、縦ルーバ９０が正しい姿勢で取り付けられた状態では、誤挿入防止リブ１１８は、抜止部挿通部５８内と各腕部５５間の隙間１１５内とに収容されるので、縦ルーバ９０を取り付ける際に、誤挿入防止リブ１１８が邪魔になることはない。また、誤挿入防止リブ１１８は、ネック部９４がネック保持部１１６に保持されている状態では突起１１７の上方に位置して突起１１７と干渉することがないように形成されている。
【００４５】
図９は、縦ルーバ９０が取り付けられる際に、当該縦ルーバ９０が誤った姿勢である状態の一例を示している。図９で示される縦ルーバ９０の姿勢は、正しい姿勢に対して略１８０度反対側を向いた姿勢である。
【００４６】
図９に示すように、縦ルーバ９０の姿勢が正しい姿勢でない場合は、誤挿入防止リブ１１８が連結孔５４の縁部に干渉する。このため、枢支軸部９２を連結孔５４内に挿入することができず、それゆえ、縦ルーバ９０が取り付けられなくなる。
【００４７】
上記構造を有する縦ルーバ取付部５３は、ノーズ５０の壁部５１において縦ルーバ９０が取り付けられる位置に１つずつ形成されている。
【００４８】
つぎに、縦ルーバ９０のノーズ５０への取付手順を説明する。まず、図６に示すように、縦ルーバ９０の枢支軸部９２と、当該縦ルーバ９０と対応する縦ルーバ取付部５３とを互いに位置決めする。
【００４９】
そして、縦ルーバ９０の姿勢を整えた後、枢支軸部９２を抜止部９５から、抜止部挿通部５８内に、ノーズ５０の下方から挿入する。このとき、図８に示すように、誤挿入防止リブ１１８は、各腕部５５間に収容される。
【００５０】
枢支軸部９２の基部９３がノーズ５０の壁部５１に当接するまで枢支軸部９２を挿入すると、ネック部９４をネック保持部１１６に保持すべく、縦ルーバ９０をスライドする。
【００５１】
このとき、ネック部９４は、各腕部５５の先端部５５ａを、図７中の矢印で示すように、内側から外側へ押し広げる。各腕部５５は、ネック部９４に押し広げられることにともなって弾性変形して、ネック部９４の移動を許容する。
【００５２】
ネック部９４が先端部５５ａ間を通過終えてネック保持部１１６に至ると、ネック部９４による各腕部５５の付勢が解除されるので、各腕部５５は、元の位置に戻る。ネック保持部１１６では、各腕部５５の内面５５ｂと、突起１１７と、先端部５５ａとによってネック部９４が保持される。抜止部９５は、ネック保持部１１６よりも大きく、それゆえ、抜止部９５が各腕部５５に当接することによって、縦ルーバ９０の抜け止めがなされる。
【００５３】
このように構成される室内機１０では、縦ルーバ９０がノーズ５０に直接取り付けられる構造である。このため、縦ルーバ９０を室内機本体２０に取り付けるために、別途に縦ルーバ固定具などの部材を必要としない。この結果、ノーズ５０に縦ルーバ固定具を収容するための凹部を形成する必要がない。また、縦ルーバ９０を固定するために構造に係る部品点数を少なくすることができるので、コストが高くなることが抑制される。
【００５４】
また、縦ルーバ９０を取り付ける際に、縦ルーバ９０を、抜止部挿通部５８からネック保持部１１６までスライドさせる構造が用いられている。つまり、縦ルーバ９０を取り外し可能な位置（抜止部挿通部５８）と、縦ルーバ９０を保持する位置（ネック保持部１１６）とが異なる構造である。このため、通常使用時において縦ルーバ９０が抜けにくくなる。
【００５５】
また、縦ルーバ９０が誤挿入防止リブ１１８を備えている。このため、縦ルーバ９０が誤った姿勢で取り付けられることが防止されるので、当該誤取付に起因する作業の遅延が解消されるので、縦ルーバ９０の取付作業が向上する。
【００５６】
なお、本実施形態では、縦ルーバ取付部５３は、通風路８０の下流部分８２を形成するノーズ５０に形成されている。そして、ノーズ５０は、後本体４０とは別部材となっている。しかしながら、後本体４０とノーズ５０とが一体に形成されてもよい。この場合、縦ルーバ９０は、後本体４０に直接取り付けられるようになる。要するに、縦ルーバ９０は、通風路８０を形成する部位の壁部に、別途の部材を介することなく直接取り付けられる構造であればよい。
【図面の簡単な説明】
【００５７】
【図１】本発明の一実施形態の空気調和機の室内機を示す斜視図。
【図２】本発明の一実施形態の空気調和機の室内機の断面図。
【図３】図２中に示された室内機から水平ルーバが取り外された状態を、矢印Ｆ３で示される方向に沿って見た状態を示す斜視図。
【図４】図３に示された室内機本体から取り外されたノーズを示す斜視図。
【図５】図４に示されたノーズから縦ルーバが分解された状態を示す斜視図。
【図６】図５に示されたノーズの幅方向に沿う一端部と、当該一端部に取り付けられる縦ルーバとを拡大して示す斜視図。
【図７】図６に示されたノーズの壁部に形成された縦ルーバ取付部を拡大した状態を示す斜視図。
【図８】図７に示された縦ルーバ取付部を示す平面図。
【図９】図８に示された縦ルーバが取り付けられる際に、当該縦ルーバが誤った姿勢である状態の一例を示す平面図。
【符号の説明】
【００５８】
５…部屋（被空調室）、１０…室内機、２０…室内機本体、３１…前部吸込口、３２…上部吸込口、４１…吹出口、５３…縦ルーバ取付部、６０…室内熱交換器、７０…送風機、８０…通風路、８２…下流分、９０…縦ルーバ、９２…枢支軸部、
【図１】
2009058206.tif 000003
【図２】
2009058206.tif 000004
【図３】
2009058206.tif 000005
【図４】
2009058206.tif 000006
【図５】
2009058206.tif 000007
【図６】
2009058206.tif 000008
【図７】
2009058206.tif 000009
【図８】
2009058206.tif 000010
【図９】
2009058206.tif 000011